(57)【特許請求の範囲】
【請求項１】
振出竿の外周に遊動自在に嵌め込まれ釣り糸を竿先に案内する振出竿用釣り糸ガイドを備えた振出竿であって、
前記振出竿用釣り糸ガイドは、
硬質樹脂製の円筒部材と、前記円筒部材の内部に回転不能に装着され前記振出竿の外周に遊動自在に嵌め込まれる筒状の弾性部材とを有する装着部と、
前記装着部から側方に延び、先端に前記釣り糸が通過可能なリングを有するガイド部と、
を備え、
前記弾性部材の外周面には回り止めのための突起が形成されており、
前記弾性部材の両端は前記円筒部材の外形とほぼ同じ外径のフランジ部を有し、
前記振出竿用釣り糸ガイドが装着される竿体は円筒状に形成されている、
振出竿。
【請求項２】
前記装着部は前記ガイド部と別体である、
請求項１に記載の振出竿。
【請求項３】
前記弾性体は、スチレンブロック共重合体系熱可塑弾性体である、
請求項２に記載の振出竿。
【発明の詳細な説明】
【０００１】
【発明の属する技術分野】
本発明は、釣り糸ガイドを備える振出竿、特に、振出竿の外周に遊動自在に嵌め込まれ釣り糸を竿先に案内する振出竿用釣り糸ガイドを備える振出竿に関する。
【０００２】
【従来の技術】
振出竿は、手元竿にそれより穂先側の穂先側竿体ユニットが伸縮自在に連結されているため、竿の収納が容易であり広く使用されている。このような振出竿の各竿体の外周には、リールに巻き付けられた釣り糸を竿先に案内するためのリング状の釣り糸ガイドが遊動自在に装着されている。
【０００３】
この釣り糸ガイドは竿体に遊動自在に装着されているため、竿体の周方向に回転しやすい。釣り糸ガイドの回転を防止するため、従来、竿体の外周面の釣り糸ガイドの配置部に肉盛りして厚肉部を形成し、厚肉部表面に回り止め用の溝を形成したり突状を形成したりしている（実公平８−６４５４号）。
【０００４】
【発明が解決しようとする課題】
このような構造で釣り糸ガイドの回転を防止すると、厚肉部が竿体の外周面に肉盛りして形成されているため、厚肉部の曲げ剛性がその前後の部分より高くなる。剛性が他の部分より高くなると、仕掛けに魚が掛かったとき、厚肉部で釣り竿がしなりにくくなり、釣り竿が美しい円弧を描いて曲がりにくくなる。
【０００５】
本発明の目的は、振出竿に厚肉部を設けることなく、釣り糸ガイドを回転しにくくすることにある。
【０００６】
【課題を解決するための手段】
発明１に係る振出竿は、振出竿の外周に遊動自在に嵌め込まれ釣り糸を竿先に案内する振出竿用釣り糸ガイドを備える振出竿であって、装着部とガイド部とを備える。装着部は、硬質樹脂製の円筒部材と、円筒部材の内部に回転不能に装着され振出竿の外周に遊動自在に嵌め込まれる筒状の弾性部材とを有する。ガイド部は、装着部から側方に延びており、先端に釣り糸が通過可能なリングを有する。また、弾性部材の外周面には回り止めのための突起が形成されており、弾性部材の両端は、円筒部材の外形とほぼ同じ外径のフランジ部を有する。振出竿用釣り糸ガイドが装着される竿体は円筒状に形成されている。
【０００７】
この振出竿では、摩擦係数が大きい筒状弾性体製の装着部を振出竿の外周に装着すると、軸方向への移動が可能であるとともに、摩擦力により回転しにくくなる。このため、振出竿に厚肉部を設けることなく、釣り糸ガイドが回転しにくくなる。
【０００８】
発明２に係る振出竿は、発明１に記載の振出竿において、前記装着部は前記ガイド部と別体である。この場合には、装着部と他の部分とを別の材質で制作でき、それぞれに最適な特性を得ることができる。
【０００９】
発明３に係る振出竿は、発明２に記載の振出竿において、前記弾性体はスチレンブロック共重合体系熱可塑弾性体である。この場合には、厚みが薄くても充分な弾性が得られやすい。
【００１０】
【発明の実施の形態】
図１において、本発明の一実施形態による釣り糸ガイドを装着した振出竿は、手元竿１と、手元竿１に振出形式で装着された穂先側竿体ユニット２とを有している。手元竿１はわずかに先細りの筒状に形成され、その外周面には、釣り糸Ｌを巻き取るリール３が装着されるリールシート４が形成されている。
【００１１】
穂先側竿体ユニット２は、穂先ガイド１０を有する最も先端側（穂先側）の１番竿１１と、１番竿１１を支持するとともにこの１番竿１１を内部に収納可能な２番竿１２と、２番竿１２を内部に収納可能でかつ手元竿１に挿入可能な３番竿１３とを有している。このように、穂先側竿体ユニット２を構成する３本の竿１１、１２、１３は振出形式で連結されている。各竿１１〜１３は先細り筒状に形成されており、その外周面には釣り糸ガイド１４〜１６が遊動自在に装着されている。
【００１２】
釣り糸ガイド１４〜１６は、図２及び図３に示すように、ガイドフレーム２０と、ガイドフレーム２０の下部に回転不能に嵌め込まれた筒状の装着部２１と、上部に嵌め込まれ釣り糸が通過可能な硬質セラミック製のガイドリング２２とを有している。ガイドフレーム２０は、ガイドリング２２が嵌め込まれる上部リング部２０ａと、装着部２１が嵌め込まれる１対の下部リング部２０ｂと、上下のリング部２０ａ，２０ｂを連結するアーム部２０ｃとを有している。また、下部リング部２０ｂの上部内周部には回り止め用の凹部２０ｄが形成されている。
【００１３】
装着部２１は、下部リング２０ｂに嵌め込まれる硬質樹脂製の円筒部材２５と、円筒部材２５の内部に回転不能に装着された弾性部材２６とを有している。円筒部材２５の外周面の一部には、ガイドフレーム２０を装着部２１に対して回り止めするための突起２５ａが軸方向に間隔を隔てて形成されている。この突起２５ａはガイドフレーム２０の凹部２０ｄにより係止される。円筒部材２５の突起２５ａの内周面には、図４に示すように、回り止め用の凹部２５ｂが形成されている。
【００１４】
弾性部材２６は、両端に円筒部材２５とほぼ同径のフランジ部２６ａを有する弾性体製の筒状の部材である。弾性部材２６の内径は、各竿１１〜１３の釣り糸ガイドの装着位置の外径よりやや小さく、各竿１１〜１３の外周面を軸方向に移動可能であるとともに、装着位置において摩擦により回転しにくくなっている。弾性部材２６のフランジ部２６ａ間の外周面には、図４に示すように、凹部２５ｂに係止される突起２６ｂが形成されている。この凹凸嵌合により弾性部材２６が回り止めされる。
【００１５】
この弾性体としては、ウレタンゴム等のゴム系弾性体やアクティマー（商標），レオストマー（商標）等のスチレンブロック共重合体系熱可塑弾性体やサントプレーン（商標），ラバロン（商標）等の弾性体を用いることができる。弾性体として、スチレン系弾性体であるレオストマーに高温でのゴム弾性，耐油性を付与して一層の高機能化を実現した動的架橋熱可塑性弾性体であるアクティマーを用いると、弾性部材２６の厚みを薄くしても適度な弾力が得られ弾性部材２６の耐久性がとくに良好である。
【００１６】
このアクティマーは、スチレンブロック共重合体系熱可塑弾性体であるレオストマーと類似した分子構造を形成しているが、自由分子鎖に近いソフトセグメント中に動的架橋により高度に架橋された拘束相を有している。この動的架橋鎖は、ポリスチレン相と比較して熱的・化学的に安定であるため、アクティマーは、１００℃以上の圧縮永久歪みや耐油・耐薬品性に優れている。
【００１７】
このように構成された振出竿では、各竿１１〜１３を伸ばして使用状態にする際には、１番竿１１から順に伸ばす。このとき、各釣り糸ガイド１４〜１６は、装着部分よりやや穂先側に配置されており、各竿１１〜１３に緩く嵌め込まれている。そして、各釣り糸ガイド１４〜１６を所定の装着位置に移動させる。このとき、釣り糸ガイド１４〜１６は、弾性部材２６が弾性により凹むので軸方向への移動が容易である。そして、装着位置に釣り糸ガイド１４〜１６が配置されると、弾性部材２６が凹んで各竿１１〜１３の外周面との摩擦により、釣り糸ガイド１４〜１６が回りにくくなる。
【００１８】
一方、振出竿を収納するときに、各釣り糸ガイド１４〜１６を装着位置から穂先側に移動させる。そして、３番竿１３から順次竿元側の竿に収納する。ここでは、弾性部材２６の内径が各竿１１〜１３の装着位置の外径より小さいので、各竿１１〜１３を装着位置に摩擦により位置決めでき、各竿１１〜１３側に厚肉部を設けることなく装着位置での釣り糸ガイド１４〜１６の回転を防止できる。また、摩擦により回転を防止しているだけであるので、釣り糸に回転方向の大きな力が作用しても、最小限力を逃がす分だけ回転して各竿１１〜１３がネジレ折れするのを防止できる。さらに、釣り糸ガイド１４〜１６が硬いものに強く当たっても弾性部材２６により衝撃が吸収され、釣り糸ガイド１４〜１６や各竿１１〜１３が損傷しにくい。
【００１９】
〔他の実施形態〕
（ａ）
ガイドフレーム２０と装着部２１とガイドリング２２とを一体形成してもよい。
【００２０】
（ｂ）
弾性部材２６の材質はアクティマーに限定されず、弾性を有し摩擦係数が高いものであればどのような材質でもよい。
【００２１】
【発明の効果】
本発明に係る振出竿では、筒状弾性体製の装着部で振出竿の外周に装着されるので、摩擦力により回転しにくくなる。このため、振出竿に厚肉部を設けることなく、釣り糸ガイドが回転しにくくなる。
【図面の簡単な説明】
【図１】  本発明の一実施形態を採用した振出竿の側面図。
【図２】  釣り糸ガイドの正面図。
【図３】  釣り糸ガイドの側面断面図。
【図４】  釣り糸ガイドの拡大断面図。
【符号の説明】
１ 手元竿
２ 穂先側竿体ユニット
４ リール
１１ １番竿
１２ ２番竿
１３ ３番竿
１４〜１６ 釣り糸ガイド
２０ ガイドフレーム
２０ａ 上部リング部
２０ｂ 下部リング部
２１ 装着部
２２ ガイドリング
２５ 円筒部材
２６ 弾性部材
【図１】
0003844541.tif 000002
【図２】
0003844541.tif 000003
【図３】
0003844541.tif 000004
【図４】
0003844541.tif 000005